(57)【要約】【課題】  汚れを付着させ濡れた状態の竿を収納しても、塗装の劣化や錆等の発生を抑制できる釣竿収納ケースを提供する。【解決手段】  外装ケース１の内部に仕切り内張りシート２を取り付け、その仕切り内張りシート２の内部に竿収納空間を形成し、仕切り内張りシート２に、竿収納空間と外装ケース１の内部とを連通させるメッシュ状の連通部を形成してある。【選択図】        図１
2006158355.tif 000002
【特許請求の範囲】
【請求項１】
外装ケースの内部に仕切り内張りシートを取り付け、その仕切り内張りシートと外装ケースとの間に竿収納空間を形成するとともに、前記仕切り内張りシートに、前記竿収納空間と前記仕切り内張りシートより外側の空間とを連通する多数の連通孔を形成してある釣竿収納ケース。
【請求項２】
前記連通孔は、収納される竿体の竿尻側が位置することになる側程、他端側に比べて大径に形成してある釣竿収納ケース。
【請求項３】
請求項1または２記載の仕切り内張りシートにおける竿体の竿先側が位置することになる一端部を、前記外装ケースの内面から離間する状態に構成して竿差込口とするとともに、前記仕切り内張りシートにおける竿体の竿尻側に、前記竿体収納空間に収納された竿体の竿尻を受け止める受止底部を構成し、前記受止底部に底部開口を形成してある釣竿収納ケース。
【発明の詳細な説明】
【技術分野】
【０００１】
本発明は、釣竿収納ケースに関する。
【背景技術】
【０００２】
釣竿収納ケースの使用形態としては、釣竿収納ケース内に竿を収納し、釣り場を移る場合や釣り場への往復時に携行するものである。釣り場で納竿する場合には、釣を終えた状態で収納することもあるので、釣竿収納ケース内に水分や砂等がそのまま持ち込まれることがある（特許文献１参照）。
【０００３】
【特許文献１】特開２００４−２２２６５４号公報（段落番号〔０００１〕）
【発明の開示】
【発明が解決しようとする課題】
【０００４】
上記のように、汚れを付着させ濡れた状態の竿を収納すると、収納ケース内で塗装の劣化や錆等が発生し、それらの補修等に難儀をしていた。
【０００５】
本発明の目的は、汚れを付着させ濡れた状態の竿を収納しても、塗装の劣化や錆等の発生を抑制できる釣竿収納ケースを提供する点にある。
【課題を解決するための手段】
【０００６】
〔構成〕
請求項１に係る発明の特徴構成は、外装ケースの内部に仕切り内張りシートを取り付け、その仕切り内張りシートと外装ケースとの間に竿収納空間を形成するとともに、前記仕切り内張りシートに、前記竿収納空間と前記仕切り内張りシートより外側の空間とを連通する多数の連通孔を形成してある点にあり、その作用効果は次の通りである。
【０００７】
〔作用〕
つまり、外装ケースの内面と仕切り内張りシートとでと竿収納空間を区画し、竿に付着した水分や汚れ等を仕切り内張りシートで捉えてそれら水分等を仕切り内張りシートから外側に排除して竿収納空間に溜まるのを阻止するとともに、その仕切り内張りシートに連通孔を形成しているので、仕切り内張りシートを通して竿収納空間内への空気の流通を図り、湿気の排除を図ることができる。
【０００８】
〔効果〕
したがって、連通孔を設けて竿収納部内への通気をよくして、塗装の劣化や錆の発生を抑制できるとともに、仕切り内張りシートで竿を覆うことができ、竿を収納した場合の保護を図ることができる。
【０００９】
請求項２に係る発明の特徴構成は、請求項１に係る発明において、前記連通孔は、収納される竿体の竿尻側が位置することになる側程、他端側に比べて大径に形成してある点にあり、その作用効果は次の通りである。
【００１０】
〔作用効果〕
つまり、収納される竿体の竿尻側が位置することになる側程、他端側に比べて大径の連通孔に形成してあるので、例えば、竿収納空間内に捉えられた湿分も、収納ケースを、竿尻側を下にした状態にすると下方に落下する。その落下する際に、下側程大径の連通孔であるので、集積されて大きな体積の水玉になっても、竿収納空間から排出しやすく、収納ケース外に早期に排出できる。
【００１１】
請求項３に係る発明の特徴構成は、請求項1または２記載の仕切り内張りシートにおける竿体の竿先側が位置することになる一端部を、前記外装ケースの内面から離間する状態に構成して竿差込口とするとともに、前記仕切り内張りシートにおける竿体の竿尻側に、前記竿体収納空間に収納された竿体の竿尻を受け止める受止底部を構成し、前記受止底部に底部開口を形成してある点にあり、その作用効果は次の通りである。
【００１２】
〔作用効果〕
仕切り内張りシートの受止底部に底部開口を設けてあるので、竿収納空間に入った水分や砂等もこの底部開口から竿収納空間の外方に排出できる。
【発明を実施するための最良の形態】
【００１３】
釣竿収納ケースＡについて説明する。図１及び図２に示すように、釣竿収納ケースＡは、外装ケース１の内面側に仕切り内張りシート２を取り付け、仕切り内張りシート２と外装ケース１の内面との間に竿収納空間を形成している。
【００１４】
外装ケース１は元竿等の竿体Ｂをその長さ状態で収納すべく細長形状に構成されており、その細長形状における短幅の中央位置で左右に折り曲げ自在に構成されており、その左右の折り曲げ自在に連結された二つの本体ケース部1Ａ、１Ａで構成されている。二つの本体ケース部１Ａ、１Ａの開口縁には前記二つの本体ケース部１Ａ、１Ａを折り畳み閉塞連結するスライダファスナ１Ｂを設けてあるとともに、外面に運搬用の提げベルト１Ｃを取り付けてある。
【００１５】
外装ケース１は、ポリウレタン樹脂の外面側にナイロン樹脂を積層したものであり、ナイロン樹脂の外面に撥水性、耐候性の高いコーティング材を施してある。仕切り内張りシート２は、竿収納空間とその仕切り内張りシート２の外部とを連通させる連通孔２ａを備えるために全体がメッシュ状に形成されている。
【００１６】
仕切り内張りシート２の外装ケース１の内面への取付け状態を説明する。図１及び図３に示すように、仕切り内張りシート２は、外装ケース１の本体ケース部１Ａ，１Ａを開き状態に設定した状態と同様の矩形形状のシートである。細長形状に形成された仕切り内張りシート２の長手方向に沿った両側端２ｃ、２ｃを、二つの本体ケース部１Ａ、１Ａの長手方向に沿った側端縁１ｂ、１ｂに合わせて配置し、前記仕切り内張りシート２の長手方向に沿った両側端２ｃ、２ｃを二つの本体ケース部１Ａ、１Ａの長手方向に沿った側端縁１ｂ、１ｂに縫い付け固定してある。そして、仕切り内張りシート２の本体ケース部１Ａ，１Ａの折り畳み位置に対応する部分２ｄを、二つの本体ケース部１Ａ、１Ａ同士を連結する部分１ｃに縫い付け（又は溶着）固定してある。
【００１７】
そして、前記した本体ケース部１Ａ、１Ａの長手方向に沿った３本の縫い付け線１ｂ、１ｂ、１ｃで縫い付け固定された仕切り内張りシート２は、各本体ケース部１Ａの内面との間に各ひとつづつ合計二個の竿収納部を形成する。その竿収納部を形成するために、仕切り内張りシート２における竿先側に対応する部分は本体ケース部１Ａから離間する状態に維持されて竿差込口ａを構成する。一方、仕切り内張りシート２における竿尻側に対応する部分は本体ケース部１Ａに縫い付け固定されて受止底部ｂを構成する。
【００１８】
矩形状の仕切り内張りシート２の長手方向両端に形成される短縁部分における、収納される竿体の竿先側が位置する側の一方の短縁部分は、本体ケース部１Ａから離間し、収納される竿体の竿尻側が位置する側の他方の短縁部分は、本体ケース部１Ａの内面に取り付け固定してある。
【００１９】
図１〜図３に示すように、一方の本体ケース部１Ａの仕切り内張りシート２の竿収納空間に面する側面に、小物入れ３が形成され、この小物入れ３も仕切り内張りシート２と同じ材質のメッシュ状シートで構成されている。小物入れ３の蓋部材３ａは同じ材質のメッシュ状シートで構成されており、面ファスナ３ｂで開閉可能に構成してある。
【００２０】
図１及び図２に示すように、竿収納部の竿先側には、竿差込口ａを覆う舌片状の押え部材４、４を設けてある。押え部材４、４は、本体ケース部１Ａ，1Ａの長手方向の一端に取り付け固定されており、その取り付け固定端を基端部として先端側を開閉可能に構成してある。押え部材４、４は、仕切り内張りシート２に対向する裏面がポリウレタン樹脂で本体ケース部１Ａ，1Ａの内面と同様の材料で構成されている。
【００２１】
〔別実施形態〕
（１）  図４に示すように、仕切り内張りシート２の連通孔２ａは、前記した受止底部ｂ側程、メッシュの目合いを大きなものに形成してある。
（２）  仕切り内張りシート２としては、メッシュ状に構成されるのではなく、多孔性の材料で構成してもよい。
（３）  図５に示すように、受止底部ｂに底部開口２ｂを形成して、連通状態を良好にする構成を採ってもよい。
【図面の簡単な説明】
【００２２】
【図１】釣竿収納ケースを示し、（イ）は閉塞状態を示す斜視図、（ロ）は内部を開いた状態を示す斜視図
【図２】釣竿収納ケースの内部を示す正面図
【図３】釣竿収納ケースの分解正面図
【図４】連通孔の受止底部がわ程大径にしてある状態を示す正面図
【図５】受止底部に底部開口を形成した状態を示す正面図
【符号の説明】
【００２３】
１            外装ケース
１Ａ          本体ケース部
２            仕切り内張りシート
２ａ          連通孔
２ｂ          底部開口
ａ            竿差込口
ｂ            受止底部
【図１】
2006158355.tif 000003
【図２】
2006158355.tif 000004
【図３】
2006158355.tif 000005
【図４】
2006158355.tif 000006
【図５】
2006158355.tif 000007